(57)【要約】【課題】フィルムを介して接着されている合わせガラスからガラスとフィルムを容易に剥離することができる合わせガラスのガラスとフィルムの分離回収装置及びその方法を提供する。【解決手段】任意に傾斜した円筒状の回転分離槽（２）の内部の適所に内接段差部（３）を設け、前記回転分離槽（２）にガラス抽出のためのふるい部（４）を設け、円柱状の金属性の大径ロッド（５Ａ）（５Ｂ）と円柱状の金属性の小径ロッド（６Ａ）（６Ｂ）（６Ｃ）を設けた分離回収装置と、前記回転分離槽（２）に、合わせガラスと共に円柱状の前記大径ロッド（５Ａ）（５Ｂ）と円柱状の前記小径ロッド（６Ａ）（６Ｂ）（６Ｃ）を投入後、前記回転分離槽（２）を回転させ、合わせガラスのガラスとフィルムを分離回収することを特徴とする。【選択図】図２
2005313133.tif 000002
【特許請求の範囲】
【請求項１】
フィルムを介して接着されている合わせガラスのガラスとフィルムを分離する装置において、任意に傾斜した円筒状の回転分離槽（２）に内接段差部（３）を設け、前記回転分離槽（２）にガラス抽出のためのふるい部（４）を設け、円柱状の大径ロッド（５Ａ）（５Ｂ）と円柱状の小径ロッド（６Ａ）（６Ｂ）（６Ｃ）を設けたことを特徴とする合わせガラスのガラスとフィルムの分離回収装置。
【請求項２】
前記回転分離槽（２）に、合わせガラスと共に円柱状の前記大径ロッド（５Ａ）（５Ｂ）と円柱状の前記小径ロッド（６Ａ）（６Ｂ）（６Ｃ）を投入し、前記回転分離槽（２）を回転させることによりガラス破片とフィルムを分離し回収することを特徴とする請求項１記載の合わせガラスのガラスとフィルムの分離回収方法。
【発明の詳細な説明】
【技術分野】
【０００１】  本発明は自動車のフロントガラス等に用いる合わせガラスのガラスとフィルムの分離回収装置及びその方法に関する。
【背景技術】
【０００２】  近年、環境保護の一環として自動車のフロントガラス等に使用された合わせガラスを、再利用することが求められている。【０００３】  合わせガラスは、通常、２枚のガラス板を中間膜の合成樹脂製フィルムを介し、接着することにより構成されている。合わせガラスからガラスとフィルムを分別しないと、再利用に適したガラスが得られない。分別する方法としては、合わせガラスを破砕機や加熱処理により、フィルムからガラス片を剥離させることにより、ガラスとフィルムを分別する方法がある。
【特許文献１】特開２００２−２４８６２３
【特許文献２】特開２００２−３２６８４９
【発明の開示】
【発明が解決しようとする課題】
【０００４】  従来の合わせガラスを分別する方法においては、合わせガラスを短冊状に切断し、複雑な構造の破砕機に投入して分別していた。又、合わせガラスを加熱処理しフィルムの膨潤により搬送ローラで引き伸ばしフィルムからガラスを分離していた。【０００５】  よって、合わせガラスを分別する場合には、大がかりなハンマークラッシャーや加熱処理等の装置を用いるため、簡易な処理装置や簡便な工程での分別が未だ提案されていない。ガラスとフィルムの再利用ができない合わせガラスは、シュレッダーダストとして埋立てられたり、そのまま廃棄されていた。【０００６】  本発明は、これらの欠点を解決するために、合わせガラスのガラスとフィルムを良好に再利用することができる分離回収装置及びその方法を提供することを目的とする。
【課題を解決するための手段】
【０００７】  前記目的を達成するために、本発明に係る合わせガラスのガラスとフィルムとの分離回収装置及びその方法は、任意に傾斜した円筒状の回転分離槽（２）の内部の適所に内接段差部（３）を設け、前記回転分離槽（２）にガラス抽出のためのふるい部（４）を設け、円柱状の大径ロッド（５Ａ）（５Ｂ）と円柱状の小径ロッド（６Ａ）（６Ｂ）（６Ｃ）を設けた構成とした。【０００８】  合わせガラスのガラスとフィルムを効果的に分離回収するには、前記回転分離槽（２）に、合わせガラスと共に円柱状の金属性の前記大径ロッド（５Ａ）（５Ｂ）と円柱状の金属性の前記小径ロッド（６Ａ）（６Ｂ）（６Ｃ）を投入後、前記回転分離槽（２）を回転させる方法が必要となる。
【発明の効果】
【０００９】  本発明の合わせガラスのガラスとフィルムとの分離回収装置及びその方法によれば、簡易な処理装置と簡便な工程により、大規模な装置や多大な費用をかけず、合わせガラスを破砕してフィルムからガラス片を分離させ、分離したガラスとフィルムを良好に再処理することができる。
【発明を実施するための最良の形態】
【００１０】  以下、本発明を実施するための最良の形態について説明する。任意に傾斜した円筒状の回転分離槽（２）の内部の適所に内接段差部（３）を設け、前記回転分離槽（２）にガラス抽出のためのふるい部（４）を設け、円柱状の金属性の大径ロッド（５Ａ）（５Ｂ）と円柱状の金属性の小径ロッド（６Ａ）（６Ｂ）（６Ｃ）を設ける。前記回転分離槽（２）に、合わせガラスと共に円柱状の金属性の前記大径ロッド（５Ａ）（５Ｂ）と円柱状の金属性の前記小径ロッド（６Ａ）（６Ｂ）（６Ｃ）を投入後、前記回転分離槽（２）を回転させ、合わせガラスのガラスとフィルムを効果的に分離回収することを実現した。
【実施例】
【００１１】  以下本発明の実施の形態を添付図面に基づいて説明する。尚、図面において従来例と同一の符号で表示した部分は、同一又は相当の部分を示している。【００１２】  図１は、本発明の構成を示す説明斜視図である。合わせガラスのガラスとフィルムの分離回収装置の構成は図１に示すように、投出入口（１）を有する任意に傾斜した円筒状の回転分離槽（２）の内部の適所に角柱状の内接段差部（３）を設け、前記回転分離槽（２）にガラス抽出のためのふるい部（４）を設ける。前記投出入口（１）に投入するための円柱状の金属性の大径ロッド（５Ａ）（５Ｂ）と円柱状の金属性の小径ロッド（６Ａ）（６Ｂ）（６Ｃ）を設けた構成である。【００１３】  前記回転分離槽（２）は、直径１００ｃｍ程度で、長さは１５０ｃｍ程度。前記内接段差部（３）は、５ｃｍ程度の高さで、長さは１５０ｃｍ程度。前記大径ロッド（５Ａ）（５Ｂ）は、直径１０ｃｍ程度で、長さは１５０ｃｍ程度。前記小径ロッド（６Ａ）（６Ｂ）（６Ｃ）は、直径５ｃｍ程度で、長さは１５０ｃｍ程度とする。【００１４】前記回転分離槽（２）は、外設するモーター等により稼動させ、回転速度は、秒速１〜２回転程度で、回転時間は１０分間程度とする。前記回転分離槽（２）の回転状況は、投出入口（１）の開口する窓より随時合わせガラスを破砕する状態を目視することができる。【００１５】  図２は、本発明の実施方法を示すブロック説明である。合わせガラスのガラスとフィルムの分離回収方法を実施するためには図２に示すように、開始は、回転分離槽（２）を回転する前に、大径ロッド（５Ａ）（５Ｂ）と小径ロッド（６Ａ）（６Ｂ）（６Ｃ）の大小ロッドを投出入口（１）に投入し、合わせガラスも前記投出入口（１）に投入する。前記投出入口（１）の開閉蓋を閉め、回転処理を開始する。【００１６】  回転処理が始まると、ガラス抽出のためのふるい部（４）からガラス片が排出され、ガラス処理ラインへ集積される。前記回転分離槽（２）には、フィルムが残存したまま、回転処理が終了する。【００１７】  回転処理が終了すると、前記回転分離槽（２）から前記大径ロッド（５Ａ）（５Ｂ）と前記小径ロッド（６Ａ）（６Ｂ）（６Ｃ）の大小ロッドを前記投出入口（１）より取出す。前記回転分離槽（２）に残存するフィルムも前記投出入口（１）より取出し、フィルム処理ラインへ集積し終了する。【００１８】  図３は、本発明の実施状態を示す断面図である。回転分離槽（２）の内部の適所に角柱状の内接段差部（３）を設けた状態を図３に示し、図３（ａ）は回転処理前、図３（ｂ）は回転処理中、図３（ｃ）は回転処理後の状態を示している。【００１９】  回転処理前の図３（ａ）は、前記回転分離槽（２）に大径ロッド（５Ａ）（５Ｂ）と小径ロッド（６Ａ）（６Ｂ）（６Ｃ）の大小ロッドと合わせガラスを投入し、回転処理の準備をする。合わせガラスの投入する分量は２０枚から３０枚程度とする。【００２０】  回転処理中の図３（ｂ）は、前記大径ロッド（５Ａ）（５Ｂ）と前記小径ロッド（６Ａ）（６Ｂ）（６Ｃ）の大小ロッドが、前記回転分離槽（２）の回転により、前記内接段差部（３）から大小ロッドと合わせガラスが不特定に落下することで合わせガラスを破砕することを繰返し、ガラス片とフィルムが分離する。回転処理中に合わせガラスを破砕したガラス片が排出される。図２のブロック説明で述べた前記回転分離槽（２）の回転速度は、秒速１〜２回転程度で、回転時間は１０分間程度とする。【００２１】  回転処理後の図３（ｃ）は、前記回転分離槽（２）の内部に、前記大径ロッド（５Ａ）（５Ｂ）と前記小径ロッド（６Ａ）（６Ｂ）（６Ｃ）の大小ロッドとフィルムが残存する。回転処理後に残存するフィルムを取出し終了する。継続して回転処理を行う場合には、合わせガラスを投入し開始する。
【産業上の利用可能性】
【００２２】  本発明は、産業廃棄物の環境保護の一環として、合わせガラスの再利用を大規模な装置や多大な費用をかけず簡易な処理装置と簡便な工程により実現する。
【図面の簡単な説明】
【００２３】
【図１】本発明の構成を示す説明斜視図である。
【図２】本発明の実施方法を示すブロック説明である。
【図３】本発明の実施状態を示す断面図である。
【符号の説明】
【００２４】１  投出入口
２  回転分離槽
３  内接段差部
４  ふるい部
５Ａ  大径ロッド
５Ｂ  大径ロッド
６Ａ  小径ロッド
６Ｂ  小径ロッド
６Ｃ  小径ロッド
７  合わせガラス
８  フィルム
【図１】
2005313133.tif 000003
【図２】
2005313133.tif 000004
【図３】
2005313133.tif 000005